(57)【特許請求の範囲】
【請求項１】
胴部２上端に巻締め突条４を有し、かつ頂壁３中央部を貫通して上方付勢状態にステム５を起立し、該ステム下端の開口をステム下降により開弁する吐出弁で閉塞するエアゾール缶１と、上記巻締め突条４に下端部を嵌合固着させて起立する外筒部１１の下部内面から突設した変形可能な複数の帯状バネ１３先端を、上記ステム５の上部外面へ嵌合させて筒部上端の内向きフランジ１５をステム５上端面へ係合させた内筒部１４の下部外面へ連結し、該内筒部１４の上端外周から上面開口の雄ねじ１６付き円筒１７を起立する基部材１０と、上記円筒１７外面へ、頂壁２２外周から垂設した雌ねじ筒２１を螺合させて該雌ねじ筒の上部外面に付設した外向きフランジ２３を外筒部１１の上端面へ係合させると共に、頂壁２２中央部から垂下した連通筒部２５を円筒１７内へ水密にかつ摺動可能に嵌合させ、更に上記連通筒部２５と連通させてノズル２７を外方へ突出する押下げヘッド２０とからなり、上記外筒部１１の上端部内面と雌ねじ筒２１の外向きフランジ２３下方外面とに連通筒部２５抜出し防止用係合手段を設けて該係合手段が係合するまで押下げヘッド２０を螺上昇させた状態から、押下げヘッド２０および内筒部１４を介して、ステム５を吐出弁開放位置まで押下げ可能に形成したことを特徴とする、エアゾール式液体噴出容器。
【請求項２】
複数の帯状バネ１３を渦巻き状に形成したことを特徴とする請求項１記載のエアゾール式液体噴出容器。
【請求項３】
連通筒部２５下端を、大径のシール筒２６としたことを特徴とする、請求項１又は請求項２記載のエアゾール式液体噴出容器。
【発明の詳細な説明】
【０００１】
【発明の属する技術分野】
本発明は、エアゾール式の液体噴出容器に関する。
【０００２】
【従来の技術】
ヘッド押下げにより缶内液体が噴出するエアゾール式の液体噴出容器は、広く知られ又使用されているが、該容器は缶胴部上端に巻締め突条を有し、かつ頂壁中央部にステムを貫通させて上方付勢状態に起立させ、該ステム上部にノズル付き押下げヘッドを嵌合させて、該ヘッドを介してステムを押下げると、ステムの下端開口を閉塞する吐出弁が開いて、缶内液体がノズルから噴出するよう設けられている。
【０００３】
【発明が解決しようとする課題】
上記容器は、他物との接触等で不用意にヘッドが押下げられても液体噴出するため、通常上記押下げヘッドを覆って缶上部へキャップを着脱自在に嵌合させていた。
【０００４】
しかし上記キャップの着脱は面倒であるため、キャップを外したままとすることが多かった。
【０００５】
本発明は押下げヘッドを螺昇降可能として、その螺降状態ではそのヘッド押し下げによる液体噴出が不能として、簡単な操作を行うだけで液体噴出防止の安全装置を行えるよう設けたものである。
【０００６】
【課題を解決するための手段】
第１の手段として胴部２上端に巻締め突条４を有し、かつ頂壁３中央部を貫通して上方付勢状態にステム５を起立し、該ステム下端の開口をステム下降により開弁する吐出弁で閉塞するエアゾール缶１と、上記巻締め突条４に下端部を嵌合固着させて起立する外筒部１１の下部内面から突設した変形可能な複数の帯状バネ１３先端を、上記ステム５の上部外面へ嵌合させて筒部上端の内向きフランジ１５をステム５上端面へ係合させた内筒部１４の下部外面へ連結し、該内筒部１４の上端外周から上面開口の雄ねじ１６付き円筒１７を起立する基部材１０と、上記円筒１７外面へ、頂壁２２外周から垂設した雌ねじ筒２１を螺合させて該雌ねじ筒の上部外面に付設した外向きフランジ２３を外筒部１１の上端面へ係合させると共に、頂壁２２中央部から垂下した連通筒部２５を円筒１７内へ水密にかつ摺動可能に嵌合させ、更に上記連通筒部２５と連通させてノズル２７を外方へ突出する押下げヘッド２０とからなり、上記外筒部１１の上端部内面と雌ねじ筒２１の外向きフランジ２３下方外面とに連通筒部２５抜出し防止用係合手段を設けて該係合手段が係合するまで押下げヘッド２０を螺上昇させた状態から、押下げヘッド２０および内筒部１４を介して、ステム５を吐出弁開放位置まで押下げ可能に形成した。
【０００７】
第２の手段として、上記第１の手段を有すると共に複数の帯状バネ１３を渦巻き状に形成した。
【０００８】
第３の手段として、上記第１又は第２の手段を有すると共に連通筒部２５下端を、大径のシール筒２６とした。
【０００９】
【実施の形態】
１は公知のエアゾール缶で、公知であるため簡単に説明すると、胴部２上端に、該胴部の上端部と胴部上面を閉塞する頂壁３外周とを共に巻締めした巻締め突条４を有し、又頂壁３中央部にステム５を貫通させている。該ステムは上方へ付勢させてあり、かつ下端開口を、ステム下降により開弁する吐出弁で閉塞しており、吐出弁開弁により缶内液体がステムを通って噴出するよう設けたものである。
【００１０】
上記缶上部には基部材１０を嵌合させる。該基部材は外筒部と内筒部とを帯状バネで一体に連結して形成したもので、外筒部１１は、上記巻締め突条４に下端を嵌合固着させて起立し、その上端部内面に第１係合突条１２を周設している。その外筒部１１の下部内面から図４が示すように渦巻き状に複数の帯状バネ１３を等間隔に突設し、その先端をステム５の上部外面へ嵌合させた内筒部１４の下部外面へ等間隔に連結している。該内筒部は、肉厚の筒部上端の内向きフランジ１５をステムの上端面へ係合させ、又筒部の上端外周から外面に雄ねじ１６を付設した円筒１７を起立する。上記外筒部１１と内筒部１４とを連結する帯状バネ１３…は、外筒部に対して内筒部１４が上下動可能に、しかし乍ら回動は不能に形成する。従って必しも渦巻き状でなくとも、例えば帯状バネ中間部に正逆いずれかの形状のＵ字状弾性変形部を形成してもよく、又内筒部側が高く、外筒側が低い傾斜板状に形成してもよい。
【００１１】
２０は押下げヘッドで、上記円筒１７外面へ螺合させた雌ねじ筒２１を頂壁２２外周から垂下し、その雌ねじ筒上部外面に外向きフランジ２３を有して、該外向きフランジを既述外筒部１１の上端面へ係合させて雌ねじ筒２１の下限としている。又該外向きフランジ２３下方には既述外筒部上端内面の第１係合突条１２と係合させる第２係合突条２４を周設して、雌ねじ筒螺上昇時、それ等両係合突条が係合して上限を定めるよう設けている。
【００１２】
又頂壁２２の中央部からは連通筒部２５を垂下し、該連通筒部２５下部を円筒１７内へ水密かつ摺動可能に嵌合させている。該連通筒部下端は図示のように下外方へスカート状に拡開して大径のシール筒２６に形成するとよい。連通筒部２５は頂壁２２に設けたノズル２７を連通させる。図示例ではノズル２７を頂壁２２前方へ突出させたが、頂壁２２上方へ起立させることも可能である。
【００１３】
上記構成において、図１が示すように基部材１０に対して押下げヘッド２０を螺降させて外向きフランジ２３を外筒部１１上端面へ係合させた状態では押下げヘッド２０は押下げ不能となり、よってステム５も押下げられることがなく、ステム下端の吐出弁は閉弁状態を保持する。該状態から図２が示すように押下げヘッド２０を第１、第２係合突条１２，２４が係合するまで螺上昇させると、上記外向きフランジ２３と外筒部１１の上端面との間には間隙が形成される。よって該状態から押下げヘッド２０を図３のように押下げすると、内筒部の円筒１７と押下げヘッドの雌ねじ筒２１とは螺合されているため、帯状バネ１３の弾性に抗して内筒部１４が、従ってステム５も押下げられ、このときステム下端の吐出弁が開くことで、缶内液体がステム５を通り、更に円筒１７、連通筒部２５、ノズル２７を通って外方へ噴出される。液体噴出後に押下げヘッド２０を離せば、ステム５および帯状バネ１３により内筒部１４は押上げられて図２の状態に復帰するから、押下げヘッド２０を螺降させることで、図１のように再び液体噴出不能な安全装置を施した状態に戻すことが出来る。
上記基部材１０と押下げヘッド２０とは、それぞれ合成樹脂材で一体成形した。
【００１４】
【発明の効果】
本発明は既述構成とするもので、請求項１の場合は基部材10を、エアゾール缶の巻締め突条４へ下端部を嵌合固着させて起立する外筒部11とステム５に嵌合させた内筒部14とで、これ等両筒部を変形可能な複数の帯状バネ13で連結して形成したから、上記外筒部11に対して内筒部14だけを下降させることが可能となり、よって上記内筒部から起立する雄ねじ付き円筒17に押下げヘッド20から垂下する雌ねじ筒21を深く螺合させて該雌ねじ筒上部の外向きフランジ23を上記外筒部11上端面へ係合させれば押下げヘッドの押下げが不能に、又該押下げヘッドを螺上昇させれば該ヘッドと共に内筒部14を介してステム５を押下げて液体噴出させることが可能となり、このようにして、上記ヘッドの押下げを不能に、つまり安全装置を施すことが容易であると共に、その取外しも極めて容易とすることが出来る。更に上記外筒部11の内面と雌ねじ筒21の外向きフランジ23下方外面とに連通筒部25抜出し防止用係合手段としての第１、第２係合突条12,24 を設けたから、押下げヘッド20が基部材10から螺脱することがない。
【００１５】
請求項２の場合は、上記請求項１の場合の効果を有するほか、複数の帯状バネ１３を渦巻き状に形成したから、押下げヘッド２０押下げ時における外筒部１１に対する内筒部１４の下降と、押下げヘッド２０螺動時において内筒部１４が共に回動しようとする動きの阻止とを、共に無理なく行わせることが出来る。
【００１６】
請求項３の場合は、上記請求項１又は請求項２の効果を有するほか、連通筒部２５下端を大径のシール筒２６としたから、円筒１７に対する連通筒部２５の嵌合および螺昇降を水密に行うことが容易となる。
【図面の簡単な説明】
【図１】安全装置を施した状態で示す、本発明容器の断面図である。
【図２】安全装置を外した状態で示す、断面図である。
【図３】押下げヘッド下降状態で示す、断面図である。
【図４】図１ＩＶ―ＩＶ線を矢示方向にみた横断面図である。
【符号の説明】
１０…基部材          １１…外筒部
１４…内筒部          １７…円筒
２０…押下げヘッド    ２１…雌ねじ筒
２５…連通筒部        ２７…ノズル
【図１】
0003616438.tif 000002
【図２】
0003616438.tif 000003
【図３】
0003616438.tif 000004
【図４】
0003616438.tif 000005